(57)【要約】【課題】写真シール作成の各工程が分離されている場合でも利用者を適切に誘導し、間違いを未然に防止する。【解決手段】受付工程と撮影工程と編集工程と印刷工程とをこの順に実施する写真シール作成方法であって、受付工程では、情報の視認及び記憶が可能な媒体に利用者情報を記憶させ、撮影工程では、撮影後、利用者情報と利用者を撮影した第１の画像とを関連付けて登録し、編集工程に関する情報を媒体に視認可能に書き込み、編集工程では、媒体に記憶された利用者情報に関連付けて登録された第１の画像を読み出し、第１の画像の編集後、利用者情報と第１の画像を編集した第２の画像とを関連付けて登録し、印刷工程に関する情報を媒体に視認可能に書き込み、印刷工程では、媒体に記憶された利用者情報に関連付けて登録された第２の画像を読み出し、第２の画像をシールに印刷して写真シールを出力する。【選択図】図８
2014041170.tif 000002
【特許請求の範囲】
【請求項１】
利用者の受付を行う１又は複数の受付装置と、前記利用者を撮影する１又は複数の撮影装置と、前記撮影した画像を前記利用者に編集させる複数の編集装置と、前記編集された画像をシールに印刷する１又は複数の印刷装置と、サーバと、がネットワークで接続された写真シール作成システムであって、
前記受付装置は、情報の視認及び記憶が可能な媒体に、前記利用者を特定する利用者情報を記憶させる入出力部を備え、
前記撮影装置は、前記利用者を撮影した後、前記サーバに、前記利用者情報と前記撮影した第１の画像とを関連付けて登録する制御部と、前記編集装置を使用する工程に関する工程管理情報を前記媒体に視認可能に書き込む入出力部と、を備え、
前記編集装置は、前記媒体に記憶された前記利用者情報を用いて、前記サーバから当該利用者情報に関連付けて登録された前記第１の画像を読み出し、前記第１の画像が編集された後、前記サーバに、前記利用者情報と前記第１の画像を編集した第２の画像とを関連付けて登録する制御部と、前記印刷装置を使用する工程に関する工程管理情報を前記媒体に視認可能に書き込む入出力部と、を備え、
前記印刷装置は、前記媒体に記憶された前記利用者情報を用いて、前記サーバから当該利用者情報に関連付けて登録された前記第２の画像を読み出す制御部と、前記第２の画像を前記シールに印刷して写真シールを出力する印刷部と、を備える、
ことを特徴とする写真シール作成システム。
【請求項２】
前記受付装置及び前記撮影装置、又は、前記編集装置及び前記印刷装置は、一体的に構成されている、
ことを特徴とする請求項１に記載の写真シール作成システム。
【請求項３】
前記撮影装置は、前記利用者の属性を参照して前記編集装置を特定し、前記媒体に、前記工程管理情報として、少なくとも前記特定した編集装置を識別する情報を書き込む、
ことを特徴とする請求項１又は２に記載の写真シール作成システム。
【請求項４】
前記撮影装置、前記編集装置、前記印刷装置の少なくとも１つは、前記利用者を自装置に誘導する誘導部を備える、
ことを特徴とする請求項３に記載の写真シール作成システム。
【請求項５】
前記媒体は、表面に上書き可能な印字領域を備える磁気カードである、
ことを特徴とする請求項１乃至４のいずれか一に記載の写真シール作成システム。
【請求項６】
利用者の受付を行う受付工程と、前記利用者を撮影する撮影工程と、前記撮影した画像を前記利用者に編集させる編集工程と、前記編集された画像をシールに印刷する印刷工程と、をこの順に実施する写真シール作成方法であって、
前記受付工程では、受付装置を用いて、情報の視認及び記憶が可能な媒体に、前記利用者を特定する利用者情報を記憶させる処理を行い、
前記撮影工程では、撮影装置を用いて前記利用者を撮影した後、前記利用者情報と前記利用者を撮影した第１の画像とを関連付けてサーバに登録し、前記編集工程に関する情報を前記媒体に視認可能に書き込む処理を行い、
前記編集工程では、前記媒体に記憶された前記利用者情報を用いて、前記サーバから当該利用者情報に関連付けて登録された前記第１の画像を読み出し、編集装置を用いて前記利用者に前記第１の画像を編集させた後、前記サーバに、前記利用者情報と前記第１の画像を編集した第２の画像とを関連付けて登録し、前記印刷工程に関する情報を前記媒体に視認可能に書き込む処理を行い、
前記印刷工程では、前記媒体に記憶された前記利用者情報を用いて、前記サーバから当該利用者情報に関連付けて登録された前記第２の画像を読み出し、印刷装置を用いて前記第２の画像を前記シールに印刷して写真シールを出力する処理を行う、
ことを特徴とする写真シール作成方法。
【請求項７】
前記受付装置及び前記撮影装置、又は、前記編集装置及び前記印刷装置を、一体的に構成する、
ことを特徴とする請求項６に記載の写真シール作成方法。
【請求項８】
前記撮影工程では、前記利用者の属性を参照して前記編集装置を特定し、前記媒体に、前記工程管理情報として、少なくとも前記特定した編集装置を識別する情報を書き込む、
ことを特徴とする請求項６又は７に記載の写真シール作成方法。
【請求項９】
前記撮影工程、前記編集工程、前記印刷工程の少なくとも１つでは、前の工程を実施する装置からの指示に従って、前記利用者を自装置に誘導する処理を行う、
ことを特徴とする請求項８に記載の写真シール作成方法。
【請求項１０】
前記媒体として、表面に上書き可能な印字領域を備える磁気カードを使用する、
ことを特徴とする請求項６乃至９のいずれか一に記載の写真シール作成方法。
【発明の詳細な説明】
【技術分野】
【０００１】
本発明は、写真シール作成システム及び写真シール作成方法に関し、特に、工程毎に分離して配置された装置を利用して写真シールを作成する写真シール作成システム及び写真シール作成方法に関する。
【背景技術】
【０００２】
近年、写真撮影ブースで自画像を撮影して画面上に表示し、画面上で自画像にイラストやメッセージなどを書き込んで編集し、編集した画像をシール状のサムネイル写真として販売する写真シール作成機がゲームセンターなどに設置されている。この写真シール撮影機は、利用者を撮影する撮影機と、撮影した画像を編集可能に表示する編集機と、編集後の画像を出力する印刷機と、を合体させた装置であり、利用者は写真シール撮影機を覆うブース内で写真撮影から写真シールの受け取りまでの一連の処理を行う。
【０００３】
このような写真シール撮影機に関して、例えば、下記特許文献１には、撮影を行う撮影手段と、前記撮影手段による複数回の撮影によって得られた撮影画像を表示する第１の表示手段と、複数の前記撮影画像の中から選択された前記撮影画像を編集対象の画像として表示し、編集入力を受け付ける第２の表示手段と、前記編集入力に基づいて、前記編集対象の画像として選択された前記撮影画像の編集を行う編集手段と、前記編集手段により編集された前記撮影画像を所定の印刷媒体に印刷する印刷手段とを備え、前記第１の表示手段の前方の空間である撮影空間と、前記第２の表示手段の前方の空間である編集空間とが異なる位置に設けられ、前記撮影空間における処理と、前記編集空間における処理とが並行して実行可能とされ、前記画像印刷装置の所定の面を基準とし、前記第１の表示手段は、画像印刷装置の正面に配置され、前記第２の表示手段は、画像印刷装置の背面に配置される画像印刷装置が開示されている。
【０００４】
また、写真シールの作成に際し、撮影した写真にイラストなどを書き込む編集作業に時間がかかることから、人物を撮影するエリアと、撮影した写真を編集するエリアとを分離した装置も提案されており、例えば、下記特許文献２には、撮影手段により被写体を撮影する撮影処理と、該撮影処理により得られ表示手段に表示される被写体画像への編集入力手段による入力画像の編集を行う編集処理とを、同一のブースで時系列的に行い、印刷手段により編集済みの画像をシール台紙に印刷する写真シール払出機において、既存の前記ブースとは異なる位置に前記表示手段を移動配置して編集専用ブースを形成し、既存の前記ブースでの前記撮影処理と並行して前記編集専用ブースでの前記編集処理を制御する制御プログラムを新たに格納し、該制御プログラムに従って各処理を実行する写真シール払出機の改造方法が開示されている。
【先行技術文献】
【特許文献】
【０００５】
【特許文献１】特開２０１１−２１１７１６号公報
【特許文献２】特開２００７−０９６６３１号公報
【発明の概要】
【発明が解決しようとする課題】
【０００６】
特許文献２のように、写真撮影エリアと編集エリアとを分離することにより、写真撮影から写真シールの印刷までの一連の処理を効率的に実行することができるが、多数の利用者が写真シールを作成する場合には、単に写真撮影エリアと編集エリアとを分離しただけでは、一連の処理に滞りが生じてしまう。
【０００７】
このような背景から、人物を撮影する複数の撮影機と、撮影した写真を編集可能に表示する編集機と、編集後の画像を出力する印刷機と、を各々、別々のエリアに複数台設置する方法も考えられるが、この方法では、撮影機で撮影した画像をどの編集機で編集すればよいか、また、編集した画像がどの印刷機から出力されるのかが分かり難く、他の利用者の写真を間違って編集したり、他の利用者が作成した写真シールを間違って受け取ってしまうなどの問題が生じてしまう。
【０００８】
本発明は、上記問題点に鑑みてなされたものであって、その主たる目的は、写真シール作成の各工程が分離されている場合においても、利用者を適切に誘導し、間違いを未然に防止することができる写真シール作成システム及び写真シール作成方法を提供することにある。
【０００９】
また、本発明の他の目的は、写真シール作成システムの利用を促進することができる写真シール作成システム及び写真シール作成方法を提供することにある。
【課題を解決するための手段】
【００１０】
上記目的を達成するため、本発明は、利用者の受付を行う１又は複数の受付装置と、前記利用者を撮影する１又は複数の撮影装置と、前記撮影した画像を前記利用者に編集させる複数の編集装置と、前記編集された画像をシールに印刷する１又は複数の印刷装置と、サーバと、がネットワークで接続された写真シール作成システムであって、前記受付装置は、情報の視認及び記憶が可能な媒体に、前記利用者を特定する利用者情報を記憶させる入出力部を備え、前記撮影装置は、前記利用者を撮影した後、前記サーバに、前記利用者情報と前記撮影した第１の画像とを関連付けて登録する制御部と、前記編集装置を使用する工程に関する工程管理情報を前記媒体に視認可能に書き込む入出力部と、を備え、前記編集装置は、前記媒体に記憶された前記利用者情報を用いて、前記サーバから当該利用者情報に関連付けて登録された前記第１の画像を読み出し、前記第１の画像が編集された後、前記サーバに、前記利用者情報と前記第１の画像を編集した第２の画像とを関連付けて登録する制御部と、前記印刷装置を使用する工程に関する工程管理情報を前記媒体に視認可能に書き込む入出力部と、を備え、前記印刷装置は、前記媒体に記憶された前記利用者情報を用いて、前記サーバから当該利用者情報に関連付けて登録された前記第２の画像を読み出す制御部と、前記第２の画像を前記シールに印刷して写真シールを出力する印刷部と、を備えるものである。
【００１１】
また、本発明は、利用者の受付を行う受付工程と、前記利用者を撮影する撮影工程と、前記撮影した画像を前記利用者に編集させる編集工程と、前記編集された画像をシールに印刷する印刷工程と、をこの順に実施する写真シール作成方法であって、前記受付工程では、受付装置を用いて、情報の視認及び記憶が可能な媒体に、前記利用者を特定する利用者情報を記憶させる処理を行い、前記撮影工程では、撮影装置を用いて前記利用者を撮影した後、前記利用者情報と前記利用者を撮影した第１の画像とを関連付けてサーバに登録し、前記編集工程に関する情報を前記媒体に視認可能に書き込む処理を行い、前記編集工程では、前記媒体に記憶された前記利用者情報を用いて、前記サーバから当該利用者情報に関連付けて登録された前記第１の画像を読み出し、編集装置を用いて前記利用者に前記第１の画像を編集させた後、前記サーバに、前記利用者情報と前記第１の画像を編集した第２の画像とを関連付けて登録し、前記印刷工程に関する情報を前記媒体に視認可能に書き込む処理を行い、前記印刷工程では、前記媒体に記憶された前記利用者情報を用いて、前記サーバから当該利用者情報に関連付けて登録された前記第２の画像を読み出し、印刷装置を用いて前記第２の画像を前記シールに印刷して写真シールを出力する処理を行うものである。
【発明の効果】
【００１２】
本発明の写真シール作成システム及び写真シール作成方法によれば、写真シール作成の各工程が分離されている場合においても、利用者を適切に誘導し、間違いを未然に防止することができる。また、写真シール作成システムの利用を促進することができる。
【００１３】
その理由は、利用者を受け付ける１又は複数の受付装置と、利用者を撮影する複数の撮影装置と、撮影した画像を利用者に編集させる複数の編集装置と、編集された画像をシールに印刷する１又は複数の印刷装置と、サーバと、が別々のエリアに分離して設置される写真シール作成システムにおいて、受付装置では、情報の視認及び記憶が可能な媒体に利用者を特定する利用者情報を記憶させ、各エリアに設置された各装置では、自装置の処理が終了したら次工程に関する情報をその媒体に視認可能に書き込み、その媒体に記憶させた利用者情報に基づいて利用者を認証してサーバに対して画像の登録／読み出しを行うからである。
【００１４】
また、利用者の属性（性別、年齢、システムの利用履歴など）に基づいて各エリアに設置された装置に誘導したり、表面に上書き印字が可能な磁気カードを利用者に提供して、システムを再度利用するように仕向けたりするからである。
【図面の簡単な説明】
【００１５】
【図１】本発明の一実施例に係る写真シール作成システムの外観構成を模式的に示す図である。
【図２】本発明の一実施例に係る写真シール作成システムのネットワーク構成を示す図である。
【図３】本発明の一実施例に係る受付装置の構成を示すブロック図である。
【図４】本発明の一実施例に係る撮影装置の構成を示すブロック図である。
【図５】本発明の一実施例に係る編集装置の構成を示すブロック図である。
【図６】本発明の一実施例に係る印刷装置の構成を示すブロック図である。
【図７】本発明の一実施例に係るサーバの構成を示すブロック図である。
【図８】工程管理情報の表示例を示す図である。
【図９】本発明の一実施例に係る写真シール作成システムの全体処理を示すフローチャート図である。
【図１０】本発明の一実施例に係る受付装置の処理を示すフローチャート図である。
【図１１】本発明の一実施例に係る撮影装置の処理を示すフローチャート図である。
【図１２】本発明の一実施例に係る編集装置の処理を示すフローチャート図である。
【図１３】本発明の一実施例に係る印刷装置の処理を示すフローチャート図である。
【発明を実施するための形態】
【００１６】
背景技術で示したように、写真撮影ブースで自画像を撮影して画面上に表示し、画面上で自画像にイラストやメッセージなどを書き込んで編集し、編集した画像をシール状のサムネイル写真として出力する写真シール作成機が普及しており、様々な施設に設置されている。写真シールの作成では、利用者を撮影する工程と、撮影した画像を利用者が編集する工程と、編集した画像をシールに印刷する工程とを順に行うが、それぞれの工程に要する時間が異なるため、一連の処理が滞るという問題があった。
【００１７】
この問題に対して、利用者を撮影する装置と画像を利用者に編集させる装置とを分離する方法などが提案されているが、各工程を分離して実施する場合には、利用者を撮影した画像をその利用者に確実に対応付ける手段が必要である。また、画像と利用者とを対応付けたとしても、一連の処理が滞りなく実施されるようにするためには、利用者を適切な装置に誘導する仕組みも必要である。特に、写真シールを作成する利用者の特徴を鑑みると、撮影に長い時間をかけたり、画像の編集に長い時間をかけたりする場合が多く、利用者を適切に誘導する仕組みがないと、各工程の装置を多数設置しても、一連の処理を滞りなく実施するのは困難である。
【００１８】
そこで、本発明の一実施の形態では、利用者を撮影する複数の撮影装置と、撮影した画像を利用者に編集させる複数の編集装置と、編集された画像をシールに印刷する１又は複数の印刷装置と、が別々のエリアに分離して設置される写真シール作成システムにおいて、写真シール作成システムの利用者を登録する受付装置を設置し、受付装置では、情報の視認及び記憶が可能な媒体に、利用者を特定する利用者情報を記憶させ、各エリアに設置された各装置では、自装置の処理が終了したら次工程に関する情報をその媒体に視認可能に書き込んで、利用者を次工程の処理を行う装置に誘導し、その媒体に記憶させた利用者情報に基づいて利用者を認証し、画像の登録／読み出しを適切に実施する。また、利用者の属性（性別、年齢、システムの利用履歴など）に基づいて適切な装置に誘導し、表面に上書き印字が可能な磁気カードを利用者に提供して、写真シール作成の利用促進を図る。
【実施例】
【００１９】
上記した本発明の実施の形態についてさらに詳細に説明すべく、本発明の一実施例に係る写真シール作成システム及び写真シール作成方法について、図１乃至図１３を参照して説明する。図１は、本実施例の写真シール作成システムの外観構成を模式的に示す図であり、図２は、写真シール作成システムのネットワーク構成を示す図である。また、図３乃至図７は、各々、受付装置、撮影装置、編集装置、印刷装置、サーバの構成を示すブロック図である。また、図８は、工程管理情報の表示例を示す図であり、図９乃至図１３は、本実施例の写真シール作成システムの処理を示すフローチャート図である。
【００２０】
図１に示すように、本実施例の写真シール作成システム１０は、アミューズメントパークやゲームセンター、ショッピングモールなどの施設１１に設置され、受付エリアに設置される受付装置２０と撮影エリアに設置される撮影装置３０と編集エリアに設置される編集装置４０と印刷エリアに設置される印刷装置５０などで構成される。なお、図１では、写真シール作成システム１０を写真シールの作成のための専用スペースに設置しているが、各種ゲームやショッピングなどを行うスペースに設置してもよい。また、図では、施設１１の入り口近傍に受付エリアを配置し、その奥に撮影エリアと編集エリアと印刷エリアを順に配置しているが、これらのエリアの配置は任意であり、人の流れを考慮して適宜変更可能である。また、図１では、写真シールの作成では画像の編集に時間がかかることから編集装置４０の台数を多くしているが、各エリアに設置する装置の台数は適宜変更可能である。
【００２１】
この写真シール作成システム１０は、図２に示すように、受付装置２０と撮影装置３０と編集装置４０と印刷装置５０とサーバ６０とがＬＡＮ（Local Area Network）などのネットワークで接続される。なお、各々の装置には予め番号（装置番号）が割り当てられており、利用者はその番号で装置を識別できるようになっている。また、本実施例では、撮影装置３０で撮影した画像や編集装置４０で編集した画像をサーバ６０に保存する構成とするが、利用者に画像データを保存可能な記憶媒体（ＩＣカードなど）を配布する場合は、サーバ６０は省略可能である。以下、各装置について詳細に説明する。
【００２２】
［受付装置］
受付装置２０は、コンピュータ装置などであり、図３に示すように、制御部２１と、入出力部２２と、登録部２３と、操作部２４と、表示部２５と、課金部２６と、通信部２７などで構成される。
【００２３】
制御部２１は、ＣＰＵ（Central Processing Unit）とＲＯＭ（Read Only Memory）やＲＡＭ（Random Access Memory）などのメモリとで構成され、受付装置２０全体を制御する。また、制御部２１は、撮影装置３０から装置情報を取得して使用可能な装置（現在使用中でない装置）若しくは使用可能になると予測される装置（使用開始からの経過時間が長い装置）を特定し、受け付け終了後に、特定した装置に利用者の誘導開始を指示する。入出力部２２は、印字機能を備えた磁気カードリーダ／ライタなどであり、上書き可能な印字領域を備え、磁気等によって情報の記憶が可能な媒体（いわゆるポイントカード等の磁気カード。以下、リライタブルカードと呼ぶ。）に工程管理情報（受付時刻、次工程の種別、次工程を処理する装置、待ち時間など）と必要に応じて利用者情報（利用者番号など）や課金情報（入金額など）とを印字すると共に利用者番号を磁気情報として記憶させて出力する。登録部２３は、利用者情報（新規利用者の場合は操作部２４によって入力された氏名、電話番号、メールアドレスなどとその利用者に割り当てた利用者番号、登録済み利用者の場合はリライタブルカードから読み取った利用者番号など）と工程管理情報と課金情報とを関連付けてサーバ６０に登録する。操作部２４は、各種ボタンやキーボード、タッチパネルなどであり、利用者情報の入力を受け付ける。表示部２５は、ＬＣＤ（Liquid Crystal Display）などであり、メニュー画面や利用者登録画面などを表示する。課金部２６は、写真シール作成に要する費用の入金を受け付ける。通信部２７は、ＮＩＣ（Network Interface Card）などであり、ネットワークを介して、撮影装置３０やサーバ６０との通信を可能にする。
【００２４】
なお、本実施例では、写真シール作成をスムーズに実施することができるように、媒体として、利用者に工程管理情報を印字したリライタブルカードを提供する構成とするが、リライタブルカードに代えてシートを出力することもできる。その場合は、入出力部２２を印字装置とし、シートに工程管理情報と利用者情報とを印字して出力したり、シートに工程管理情報を印字すると共に利用者情報を記述したバーコードを印刷して出力したりすることができる。また、電子メール等を利用する場合は、入出力部２２をメール送受信機とし、通信部２７を用いて、工程管理情報と利用者情報とを記述したメールをメールアドレス（新規利用者の場合は操作部２４で入力されたメールアドレス、登録済み利用者の場合はリライタブルカードから読み取った利用者番号に関連付けてサーバ６０に登録されたメールアドレス）に送信したり、工程管理情報と利用者情報を記述したバーコードとを含むメールをメールアドレス送信したりすることができる。また、入出力部２２を、赤外線やBluetooth（登録商標）を利用した送受信機とし、工程管理情報と利用者情報とを記述したテキストを利用者の端末に送信し、端末にインストールされたアプリケーションを用いて、工程管理情報を閲覧可能にすることもできる。また、入出力部２２をＲＦＩＤ（Radio Frequency Identification）リーダ／ライタとし、ＲＦＩＤタグを利用して、工程管理情報と利用者情報とを利用者の端末に送信し、端末にインストールされたアプリケーションを用いて、工程管理情報を閲覧可能にすることもできる。
【００２５】
［撮影装置］
撮影装置３０は、簡易的な撮影スタジオセットであり、図４に示すように、制御部３１と、入出力部３２と、認証部３３と、操作部３４と、撮影部３５と、通信部３６と、誘導部３７などで構成される。
【００２６】
制御部３１は、ＣＰＵとＲＯＭやＲＡＭなどのメモリとで構成され、撮影装置３０全体を制御する。また、制御部３１は、編集装置４０から装置情報を取得して使用可能な装置若しくは使用可能になると予測される装置を特定し、撮影終了後に、特定した装置に利用者の誘導開始を指示する。また、制御部３１は、撮影部３５が取得した合成画像を利用者情報に関連付けてサーバ６０に登録する。入出力部３２は、印字機能を備えた磁気カードリーダ／ライタ、バーコード読取機能を備えた印刷装置や送受信機、ＲＦＩＤリーダ／ライタなどであり、リライタブルカードやバーコード、ＲＦＩＤタグなどから、利用者情報を読み取り、新たな工程管理情報をリライタブルカードやシート、メール、テキストに書き込んだり、新たな工程管理情報を記述したバーコードをシートに印刷（又はメールに記述）したり、新たな工程管理情報をＲＦＩＤタグに出力したりする。認証部３３は、入出力部３２が読み取った利用者情報とサーバ６０に登録された利用者情報とを照会して利用者を認証する。操作部３４は、各種ボタンやタッチパネルなどであり、フレームの選択などの撮影条件の入力を受け付ける。撮影部３５は、被写体を撮影するデジタルカメラと撮影状態を表示するＬＣＤなどであり、選択されたフレームに合わせてポーズをとった利用者を撮影し、使用者の写真とフレームとを合成した合成画像を取得する。通信部２７は、ＮＩＣなどであり、ネットワークを介して、編集装置４０やサーバ６０との通信を可能にする。誘導部３７は、ランプや電光掲示板などであり、受付装置２０からの誘導開始の指示に従ってランプを点灯したり電光掲示板に利用者番号を表示したりして、利用者を撮影装置３０に誘導する。
【００２７】
なお、撮影エリアに複数台の撮影装置３０が設置される場合、複数台の撮影装置３０は同じ構成（性能や外観）としても良いし、ユーザの属性（性別、年代等）に合わせて、同時に撮影可能な人数を変えたり、フレームのバリエーションを変えたり、外観のデコレーションを変えたりしても良い。また、本実施例では、撮影装置３０に誘導部３７を設けているが、撮影工程の処理が滞らない場合は誘導部３７を省略しても良い。
【００２８】
［編集装置］
編集装置４０は、コンピュータ装置などであり、図５に示すように、制御部４１と、入出力部４２と、認証部４３と、操作部４４と、表示部４５と、画像編集部４６と、通信部４７と、誘導部４８などで構成される。
【００２９】
制御部４１は、ＣＰＵとＲＯＭやＲＡＭなどのメモリとで構成され、編集装置４０全体を制御する。また、制御部４１は、印刷装置５０から装置情報を取得して使用可能な装置若しくは使用可能になると予測される装置を特定し、加工終了後に、特定した装置に利用者の誘導開始を指示する。また、制御部４１は、画像編集部４６が編集した編集画像を利用者情報に関連付けてサーバ６０に登録する。入出力部４２は、印字機能を備えた磁気カードリーダ／ライタ、バーコード読取機能を備えた印刷装置や送受信機、ＲＦＩＤリーダ／ライタなどであり、リライタブルカードやバーコード、ＲＦＩＤタグなどから、利用者情報を読み取り、新たな工程管理情報をリライタブルカードやシート、メール、テキストに書き込んだり、新たな工程管理情報を記述したバーコードをシートに印刷（又はメールに記述）したり、新たな工程管理情報をＲＦＩＤタグに出力したりする。認証部４３は、入出力部４２が読み取った利用者情報とサーバ６０に登録された利用者情報とを照会して利用者を認証し、サーバ６０から認証した利用者に関連付けて登録された合成画像を取得する。操作部４４は、各種ボタンやタッチパネルなどであり、イラストやメッセージなどの入力を受け付ける。表示部４５は、ＬＣＤなどであり、利用者を撮影した画像とフレームとを合成した合成画像上に、入力されたイラストやメッセージを重ね合わせて表示する。画像編集部４６は、利用者を撮影した画像とフレームとを合成した合成画像に更にイラストやメッセージの画像を合成して編集画像を生成する。通信部４７は、ＮＩＣなどであり、ネットワークを介して、印刷装置５０やサーバ６０との通信を可能にする。誘導部３８は、ランプや電光掲示板などであり、撮影装置３０からの誘導開始の指示に従ってランプを点灯したり電光掲示板に利用者番号を表示したりして、利用者を編集装置４０に誘導する。
【００３０】
なお、編集エリアに複数台の編集装置４０が設置される場合、複数台の編集装置４０は同じ構成（性能や外観）としても良いし、ユーザの属性（性別、年代等）に合わせて、イラストのバリエーションを変えたり、外観のデコレーションを変えたりしても良い。
【００３１】
［印刷装置］
印刷装置５０は、プリンタなどであり、図６に示すように、制御部５１と、入出力部５２と、認証部５３と、操作部５４と、印刷部５５と、課金部５６と、通信部５７と、誘導部５８などで構成される。
【００３２】
制御部５１は、ＣＰＵとＲＯＭやＲＡＭなどのメモリとで構成され、印刷装置５０全体を制御する。また、制御部５１は、必要に応じて、印刷部５５が印刷する画像のデータをメールに添付して送信する。入出力部５２は、印字機能を備えた磁気カードリーダ／ライタ、バーコード読取機能を備えた印刷装置や送受信機、ＲＦＩＤリーダ／ライタなどであり、リライタブルカードやバーコード、ＲＦＩＤタグなどから、利用者情報を読み取り、処理結果（例えば、利用日時や利用者に付与するポイント数、ポイントの有効期限）などをリライタブルカードやシート、メール、テキストに書き込んだり、処理結果をＲＦＩＤタグに出力したりする。認証部５３は、入出力部５２が読み取った利用者情報とサーバ６０に登録された利用者情報とを照会して利用者を認証し、サーバ６０からその利用者に関連付けて登録された編集画像を取得する。操作部５４は、各種ボタンやタッチパネルなどであり、印刷条件の入力を受け付ける。印刷部５５は、インクジェットプリンタなどであり、裏面に粘着性を有するシートに編集画像を所定サイズで印刷する。課金部５６は、受付装置２０での入金額とシステムの利用料金とを比較し、利用料金が入金額を上回る場合に、利用者から料金の支払いを受け付ける。通信部５７は、ＮＩＣなどであり、ネットワークを介して、サーバ６０との通信を可能にする。
【００３３】
なお、印刷エリアに複数台の印刷装置５０が設置される場合、複数台の印刷装置５０は同じ構成（性能や外観）としても良いし、ユーザの属性（性別、年代等）に合わせて、精細度を変えたり、外観のデコレーションを変えたりしても良い。また、本実施例では、印刷装置５０に誘導部５８を設けているが、印刷工程の処理が滞らない場合は誘導部５８を省略しても良い。
【００３４】
［サーバ］
サーバ６０は、記憶装置であり、図７（ａ）に示すように、利用者情報記憶部６１と、画像データ記憶部６２と、工程管理情報記憶部６３と、課金情報記憶部６４などで構成される。
【００３５】
利用者情報記憶部６１は、受付装置２０で入力若しくは設定された利用者情報を記憶する。画像データ記憶部６２は、撮影装置３０で取得した合成画像データ及び編集装置４０で編集された編集画像データを記憶する。工程管理情報記憶部６３は、受付装置２０、撮影装置３０、編集装置４０から取得した工程管理情報や、印刷装置５０から取得した処理結果などを記憶する。課金情報記憶部６４は、受付装置２０や印刷装置５０で入金された金額などの情報を記憶する。そして、これらの情報は図７（ｂ）に示すような構造のデータベースとして記憶される。
【００３６】
なお、図１乃至図７は、本実施例の写真シール作成システム１０の一例であり、上述した制御が可能であれば、その構成や制御は適宜変更可能である。例えば、本実施例では写真シール作成システム１０を受付装置２０と撮影装置３０と編集装置４０と印刷装置５０とサーバ６０とで構成するが、撮影装置３０に受付装置２０の機能を持たせて、撮影装置３０で受け付け処理を行ったり、編集装置４０に印刷装置５０の機能を持たせて、編集装置４０で印刷処理を行ったりすることもできる。
【００３７】
次に、利用者情報や工程管理情報の記述例について、図８を参照して説明する。図８（ａ）は、リライタブルカード７０の一例であり、このリライタブルカード７０の上書き可能な印字領域には、利用者情報（利用者番号）や工程管理情報（受付時間、次工程の種別、次工程を処理する装置の番号、次工程の処理が開始できるようになるまでの待ち時間）、課金情報（受付装置２０で入金した金額）などが印字される。このような利用者情報や工程管理情報、課金情報を印字することにより、各工程を実施するエリアが分離されている場合でも、利用者は次にどこに行って何を行えばよいかを把握することができるため、写真シールを作成する一連の処理を滞りなく実施することができる。また、図８（ｂ）に示すように、印刷終了後に、リライタブルカード７０の上書き可能な印字領域に、処理結果（利用年月日、写真シール作成システム１０を運営する事業者が付与するポイント、そのポイントの有効期限など）を印刷することにより、利用者が再度、写真シールを作成するように仕向けることができ、写真シール作成システム１０の利用促進を図ることができる。
【００３８】
また、図８（ｃ）は、シート７１の一例であり、シート７１に利用者情報や工程管理情報、課金情報を印字したり、利用者情報を記述したバーコードを印刷したり、処理結果を印字したりすることによっても、上記と同様の効果を得ることができる。また、図８（ｄ）、（ｅ）は、利用者の携帯電話機やスマートフォンなどの端末７２の表示画面の一例であり、メール画面やアプリケーションの画面に利用者情報や工程管理情報、課金情報を印字したり、利用者情報を記述したバーコードを印刷したりすることによっても、上記と同様の効果を得ることができる。
【００３９】
なお、図８では、リライタブルカード７０に利用者情報を記憶したり、シート７１に利用者情報を記述したバーコードを印刷したり、端末７２に利用者情報を送信したりして、各装置で利用者を認証したが、これらの方法に代えて、各装置の操作部を操作して利用者が利用者番号を入力してもよいし、受付装置２０や編集装置４０、印刷装置５０にＣＣＤ（Charge Coupled Devices）カメラなどを設け、受付装置２０で利用者の顔の画像を登録し、その後工程では、登録した顔の画像が一致するか否かで利用者を認証してもよい。
【００４０】
以下、本実施例の写真シール作成システム１０の処理について、図９乃至図１３のフローチャート図を参照して説明する。図９は、写真シール作成システム１０の全体処理を示しており、図１０は、受付装置２０の処理、図１１は、撮影装置３０の処理、図１２は、編集装置４０の処理、図１３は、印刷装置５０の処理を示している。なお、以下ではリライタブルカードを利用する場合について説明する。
【００４１】
図９に示すように、利用者は、受付装置２０で使用者情報の登録を行い、写真シールの作成料金の支払いを行う（Ｓ１００）。図１０は、このステップの詳細を示している。
【００４２】
まず、受付装置２０の制御部２１は、表示部２５にメニュー画面を表示して、利用者に、初めて写真シール作成システム１０を利用するか、以前に利用したことがあるかを選択させる（Ｓ１０１）。新規登録の場合は（Ｓ１０２のＹｅｓ）、制御部２１は、表示部２５に利用者登録画面を表示させ、利用者に利用者情報（氏名、電話番号、メールアドレスなど）を入力させ、その利用者に利用者番号を割り当てる（Ｓ１０３）。一方、新規登録でない場合は（Ｓ１０２のＮｏ）、制御部２１は、表示部２５にリライタブルカードの差込を指示するメッセージを表示させ（Ｓ１０４）、入出力部２２は、装填されたリライタブルカードから利用者情報（利用者番号）を読み取る（Ｓ１０５）。
【００４３】
次に、制御部２１は、表示部２５に利用料金の支払いを指示するメッセージを表示させ（Ｓ１０６）、課金部２６が入金を確認したら（Ｓ１０７のＹｅｓ）、必要に応じて、撮影装置３０から装置情報を取得し、使用可能な装置若しくは使用可能になると予測される装置の中から、その利用者に適した装置（その利用者が好むフレームを保持する装置やその利用者が好む外観の装置、複数人を撮影する場合はそれに対応した装置など）を特定し、特定した撮影装置３０に利用者の誘導開始を指示する（Ｓ１０８）。その後、制御部２１は、Ｓ１０３で入力された情報及び割り当てた利用者番号、若しくはＳ１０５でリライタブルカードから読み取った利用者番号と、Ｓ１０７で入金された課金情報と、次工程に関する工程管理情報と、を関連付けてサーバ６０に登録し（Ｓ１０９）、入出力部２２は、図９（ａ）に示すように、リライタブルカード（新規利用者の場合は新たなカード、登録済み利用者の場合はＳ１０４で装填されたカード）に工程管理情報と必要に応じて利用者番号及び課金情報とを書き込んで排出する（Ｓ１１０）。
【００４４】
図９のフローチャートに戻って、次工程の処理を行う撮影装置３０は、利用者の写真を撮影する（Ｓ２００）。図１１は、このステップの詳細を示している。
【００４５】
まず、撮影装置３０の誘導部３７は、受付装置２０からの指示に従ってランプを点灯させたり、電光掲示板に利用者番号を表示したりして、利用者を自装置に誘導する（Ｓ２０１）。利用者は、待ち時間がある場合は、施設内でゲームやショッピングなどをして時間を調整し、待ち時間が過ぎたら、ランプや電光掲示板を参考にしたり、リライタブルカードに書き込まれた装置番号を参考にしたりして撮影装置３０に移動し、入出力部３２にリライタブルカードを装填する。入出力部３２がリライタブルカードの装填を検知したら（Ｓ２０２のＹｅｓ）、制御部３１は、利用者にフレームを選択させたり、そのフレームに合わせてポーズをとらせるなどして撮影条件を設定させる（Ｓ２０３）。
【００４６】
そして、利用者が撮影を実施したら（Ｓ２０４のＹｅｓ）、制御部３１は、利用者を撮影した画像にフレームを合成した合成画像のデータをサーバ６０に送信し、当該合成画像を利用者情報に関連付けて登録させる（Ｓ２０５）。次に、制御部３１は、編集装置４０から装置情報を取得し、使用可能な装置若しくは使用可能になると予測される装置の中から、その利用者に適した装置（その利用者が好むイラストを保持する装置やその利用者が好む外観の装置など）を特定し、特定した編集装置４０に利用者の誘導開始を指示する（Ｓ２０６）。その後、入出力部３２は、リライタブルカード（Ｓ２０２で装填されたカード）に新たな工程管理情報を上書き（例えば、図９（ａ）の次工程を「編集」、装置番号を「Ｃ−１」、待ち時間を「１０分」などに変更）して排出する（Ｓ２０７）。
【００４７】
再び、図９のフローチャートに戻って、次工程の処理を行う編集装置４０は、利用者を撮影した画像にフレームを合成した合成画像をその利用者に編集させる（Ｓ３００）。図１２は、このステップの詳細を示している。
【００４８】
まず、編集装置４０の誘導部４８は、撮影装置３０からの指示に従ってランプを点灯させたり、電光掲示板に利用者番号を表示したりして、利用者を自装置に誘導する（Ｓ３０１）。利用者は、待ち時間がある場合は、施設内でゲームやショッピングなどをして時間を調整し、待ち時間が過ぎたら、ランプや電光掲示板を参考にしたり、リライタブルカードに書き込まれた装置番号を参考にしたりして編集装置４０に移動し、入出力部４２にリライタブルカードを装填する。入出力部４２がリライタブルカードの装填を検知したら（Ｓ３０２のＹｅｓ）、制御部４１は、リライタブルカードから利用者番号を取得し、サーバ６０から、その利用者番号に関連付けて登録された合成画像のデータを取り込む（Ｓ３０３）。そして、表示部２５に画像編集画面を表示して、利用者を撮影した画像とフレームとを合成した合成画像にイラストやメッセージを書かせるなどして画像を編集させる（Ｓ３０４）。
【００４９】
そして、利用者が画像の編集を終了したら（Ｓ３０５のＹｅｓ）、制御部４１は、合成画像にイラストやメッセージを付加した編集画像のデータをサーバ６０に送信し、当該編集画像を利用者情報に関連付けて登録させる（Ｓ３０６）。次に、制御部４１は、必要に応じて、印刷装置５０から装置情報を取得し、使用可能な装置若しくは使用可能になると予測される装置の中から、その利用者に適した装置を特定し、特定した印刷装置５０に利用者の誘導開始を指示する（Ｓ３０７）。その後、入出力部４２は、リライタブルカード（Ｓ３０２で装填されたカード）に新たな工程管理情報を上書き（例えば、図９（ａ）の次工程を「印刷」、装置番号を「Ｄ−３」、待ち時間を「１分」などに変更）して排出する（Ｓ３０８）。
【００５０】
再び、図９のフローチャートに戻って、次工程の処理を行う印刷装置５０は、編集画像をシールに印刷する（Ｓ４００）。図１３は、このステップの詳細を示している。
【００５１】
まず、印刷装置５０の誘導部５８は、編集装置４０からの指示に従ってランプを点灯させたり、電光掲示板に利用者番号を表示したりして、利用者を自装置に誘導する（Ｓ４０１）。利用者は、待ち時間がある場合は、施設内でゲームやショッピングなどをして時間を調整し、待ち時間が過ぎたら、ランプや電光掲示板を参考にしたり、リライタブルカードに書き込まれた装置番号を参考にしたりして印刷装置５０に移動し、入出力部５２にリライタブルカードを装填する。入出力部５２がリライタブルカードの装填を検知したら（Ｓ４０２のＹｅｓ）、制御部５１は、リライタブルカードから利用者番号を取得し、サーバ６０から、その利用者番号に関連付けて登録された編集画像のデータを取り込む（Ｓ４０３）。そして、制御部５１は、利用者番号に関連付けて登録された課金情報を取得し、入金額が写真シール作成システム１０の利用料金以上であるかを確認し（Ｓ４０４）、入金額が利用料金よりも少ない場合は、表示部２５に不足分の入金を促すメッセージを表示して利用者に入金を指示する（Ｓ４０５）。なお、本フローでは、受付装置２０で写真シール作成に対する課金処理を行っているが、印刷装置５０で課金処理を行っても良い。
【００５２】
そして、入金額が利用料金以上であれば、印刷部５５は、編集画像をシールに印刷し、写真シールを排出する（Ｓ４０６）。その後、入出力部４２は、図９（ｂ）に示すように、リライタブルカード（Ｓ４０２で装填されたカード）に処理結果を上書きして排出する（Ｓ４０７）。
【００５３】
以上説明したように、本実施例の写真シール作成システム１０では、受け付け時にリライタブルカードを発行し、そのリライタブルカードに工程管理情報を印字するため、ユーザは次にどこで何をすればよいかを迷うことなく、写真シールを作成することができる。また、リライタブルカードに利用者情報を記憶させ、各工程の装置はリライタブルカードに記憶された利用者情報に基づいて、利用者の認証や前工程で処理された情報の取得を行うため、利用者の利便性を格段に向上させることができる。また、このようなリライタブルカードを発行し、必要に応じてポイントを付与することにより、写真シールの作成が繰り返し行われるように仕向けることができるため、写真シール作成システム１０の利用促進を図ることができる。
【００５４】
なお、本発明は上記実施例に限定されるものではなく、本発明の趣旨を逸脱しない限りにおいて、その構成や制御は適宜変更可能である。例えば、上記実施例では、本発明を写真シールの作成に適用したが、分離された場所に配置された装置を用いて複数の工程を順に実施する任意のシステムに対して、同様に適用することができる。
【産業上の利用可能性】
【００５５】
本発明は、分離された場所に配置された装置を用いて複数の工程を順に実施する任意のシステム、特に、写真シールを作成するシステムに利用可能である。
【符号の説明】
【００５６】
１０  写真シール作成システム
２０  受付装置
２１  制御部
２２  入出力部
２３  登録部
２４  操作部
２５  表示部
２６  課金部
２７  通信部
３０  撮影装置
３１  制御部
３２  入出力部
３３  認証部
３４  操作部
３５  撮影部
３６  通信部
３７  誘導部
４０  編集装置
４１  制御部
４２  入出力部
４３  認証部
４４  操作部
４５  表示部
４６  画像編集部
４７  通信部
４８  誘導部
５０  印刷装置
５１  制御部
５２  入出力部
５３  認証部
５４  操作部
５５  印刷部
５６  課金部
５７  通信部
５８  誘導部
６０  サーバ
６１  利用者情報記憶部
６２  画像データ記憶部
６３  工程管理情報記憶部
６４  課金情報記憶部
７０  リライタブルカード
７１  シート
７２  端末
【図１】
2014041170.tif 000003
【図２】
2014041170.tif 000004
【図３】
2014041170.tif 000005
【図４】
2014041170.tif 000006
【図５】
2014041170.tif 000007
【図６】
2014041170.tif 000008
【図７】
2014041170.tif 000009
【図８】
2014041170.tif 000010
【図９】
2014041170.tif 000011
【図１０】
2014041170.tif 000012
【図１１】
2014041170.tif 000013
【図１２】
2014041170.tif 000014
【図１３】
2014041170.tif 000015